(57)【要約】【課題】少なくとも一部の放送時間帯が重複する複数の番組の再生時の利便性を考慮して、ＤＶＤ−Ｖｉｄｅｏ規格のフォーマットで記録することが可能な番組記録方法を提供すること。【解決手段】少なくとも一部の放送時間帯が重複する同一チャンネルの複数の番組をＤＶＤ−Ｖｉｄｅｏ規格に準拠した一つのビデオタイトル情報（ＶＴＳ）として記録する（ＳＴ２１〜２３）。【選択図】    図８
2004207873.tif 000002
【特許請求の範囲】
【請求項１】
一つの番組を所定の規格に準拠した一つのビデオタイトル情報として記録する第１の記録手段と、
少なくとも一部の放送時間帯が重複する同一チャンネルの複数の番組を所定の規格に準拠した一つのビデオタイトル情報として記録する第２の記録手段と、
を備えたことを特徴とする番組記録装置。
【請求項２】
所定の規格に準拠したデータは、前記ビデオタイトル情報、及び前記ビデオタイトル情報の再生を制御するビデオ管理情報を含み、
前記第２の記録手段は、複数の番組を一つの前記ビデオタイトル情報として記録するとき、各番組を一つのチャプタとして管理する情報を含む前記ビデオ管理情報を記録する、
ことを特徴とする請求項１に記載の番組記録装置。
【請求項３】
少なくとも一部の放送時間帯が重複する同一チャンネルの複数の番組を所定の規格に準拠した一つのビデオタイトル情報として記録することを特徴とする番組記録方法。
【請求項４】
所定の規格に準拠したデータは、前記ビデオタイトル情報、及び前記ビデオタイトル情報の再生を制御するビデオ管理情報を含み、
複数の番組を一つの前記ビデオタイトル情報として記録するとき、各番組を一つのチャプタとして管理する情報を含む前記ビデオ管理情報を記録する、
ことを特徴とする請求項３に記載の番組記録方法。
【発明の詳細な説明】
【０００１】
【発明の属する技術分野】
この発明は、所定の規格（ＤＶＤ−Ｖｉｄｅｏ規格）に準拠したデータを記録する記録装置及び記録方法に関する。
【０００２】
【従来の技術】
近年、デジタル放送の開始に伴い、デジタル放送を受信するデジタル放送受信装置に関する研究開発が盛んに進められている。例えば、最初の番組の終了時間が次の番組の開始時間を超えるようなときであっても、時間帯の重なった部分について、どちらの番組も犠牲にすることなく両方の番組の視聴ができる受信装置に関する技術が公開されている（特許文献１）。
【０００３】
【特許文献１】
特開２０００−１５２１０２
【０００４】
【発明が解決しようとする課題】
また、近年、再生専用で映画等の映像作品が収められているＤＶＤ−Ｖｉｄｅｏディスクの普及が目覚しい。ＤＶＤ−Ｖｉｄｅｏディスクは、記録フォーマットとしてＤＶＤ−Ｖｉｄｅｏ規格が採用されている。ＤＶＤ−Ｖｉｄｅｏ規格は、ビデオデータの符号化形式を定めた国際規格のＭＰＥＧ（Ｍｏｖｉｎｇ  Ｐｉｃｔｕｒｅ  Ｅｘｐｅｒｔ  Ｇｒｏｕｐ）に準拠した形式となっている。
【０００５】
さらに、１回のみ書きこみ可能で、ＤＶＤ−Ｖｉｄｅｏディスクと物理的に互換性のあるＤＶＤ−Ｒディスクも普及し始めている。例えば、番組放送をＤＶＤ−Ｖｉｄｅｏ規格のフォーマットでＤＶＤ−Ｒディスクへ書き込むことにより、ＤＶＤ−Ｖｉｄｅｏディスクが再生できる環境で番組放送を楽しむことができる。
【０００６】
ここで、問題となるのが、同一時間帯に放送される複数の番組放送をＤＶＤ−Ｖｉｄｅｏ規格のフォーマットで記録するときの対応である。再生時の利便性を考慮した記録については一切提案されていない。上記した特許文献１にも、ＤＶＤ−Ｖｉｄｅｏ規格のフォーマットを考慮した記録については言及されていない。
【０００７】
この発明の目的は、上記したような事情に鑑み成されたものであって、少なくとも一部の放送時間帯が重複する複数の番組の再生時の利便性を考慮して、ＤＶＤ−Ｖｉｄｅｏ規格のフォーマットで記録することが可能な番組記録装置及び番組記録方法を提供することにある。
【０００８】
【課題を解決するための手段】
上記課題を解決し目的を達成するために、この発明の番組記録装置及び番組記録方法は、以下のように構成されている。
【０００９】
（１）この発明の番組記録装置は、一つの番組をＤＶＤ−Ｖｉｄｅｏ規格に準拠した一つのビデオタイトル情報（ＶＴＳ）として記録する第１の記録手段と、少なくとも一部の放送時間帯が重複する同一チャンネルの複数の番組をＤＶＤ−Ｖｉｄｅｏ規格に準拠した一つのビデオタイトル情報（ＶＴＳ）として記録する第２の記録手段とを備えている。
【００１０】
（２）この発明の番組記録方法は、少なくとも一部の放送時間帯が重複する同一チャンネルの複数の番組をＤＶＤ−Ｖｉｄｅｏ規格に準拠した一つのビデオタイトル情報（ＶＴＳ）として記録する。
【００１１】
【発明の実施の形態】
以下、この発明の実施の形態について図面を参照して説明する。
【００１２】
図１は、本発明の実施形態に係る光ディスク記録再生装置の一例を示すブロック図である。図１に示す光ディスク記録再生装置Ａは、メインＭＰＵ１０、フラッシュＲＯＭ１１、ワークメモリ１２、チューナ２０、ラインセレクタ２１、オーディオＡＤコンバータ２２、ビデオデコーダ２３、３ＹＣＤＮＲ２４、ＥＤＯ２５、フレーム同期器２６、ＳＤＲＡＭ２７、オーディオエンコーダ２８、ＭＰＥＧ２エンコーダ２９、ＳＤＲＡＭ３０、ＭＰＥＧデコーダ３１、ＳＤＲＡＭ３２、オーディオＤＡコンバータ３３、ビデオデコーダ３４、グラフィック回路３５、ＳＤＲＡＭ３６、タイマＭＰＵ４０、ディスプレイＭＰＵ５０、ディスプレイ５１、ＡＴＡＰＩコントローラ６０、ブリッジ回路６１、ＳＤＲＡＭ６２、コピープロテクト処理部６３、ＣＰＲＭ６４を備えている。
【００１３】
光ディスク記録再生装置Ａの全体の動作は、メインＭＰＵ１０により制御される。メインＭＰＵ１０は、データバスを介してフラッシュＲＯＭ１１とワークメモリ１２とに接続されている。ラインセレクタ２１には、入力端子（ラインイン）及びチューナ２０が接続されている。チューナ２０は、タイマＭＰＵ４０と接続されている。タイマＭＰＵ４０は、チューナ２０の動作を制御する。タイマＭＰＵ４０はディスプレイＭＰＵ５０とも接続されており、ディスプレイＭＰＵ５０はディスプレイ５１と接続されている。タイマＭＰＵ４０及びディスプレイＭＰＵ５０は、ディスプレイ５１の動作を制御する。
【００１４】
ラインセレクタ２１から出力される信号は、オーディオＡＤコンバータ２２及び３ＹＣＤＮＲ２４に入力される。オーディオＡＤコンバータ２２から出力されるオーディオ信号は、オーディオエンコーダ２８に入力される。オーディオエンコーダ２８は、入力されたオーディオ信号をエンコードし、ＭＰＥＧ２エンコーダ２９に出力する。ＭＰＥＧ２エンコーダ２９には、ＳＤＲＡＭ３０が接続されている。３ＹＣＤＮＲ２４には、ＥＤＯ２５が接続されている。３ＹＣＤＮＲ２４から出力される信号は、ビデオデコーダ２３に入力される。ビデオデコーダ２３から出力される信号は、フレーム同期器２６に入力される。フレーム同期器２６には、ＳＤＲＡＭ２７が接続されている。フレーム同期器２６から出力されるフレーム信号は、ＭＰＥＧ２エンコーダ２９に入力される。
【００１５】
ＭＰＥＧ２エンコーダ２９は、入力された信号をエンコードする。このエンコードにより、例えばＭＰＥＧストリームデータが生成される。ＭＰＥＧ２エンコーダ２９で生成されたＭＰＥＧストリームデータは、ブリッジ回路６１に出力される。ブリッジ回路６１は、入力されたＭＰＥＧストリームデータをＡＴＡＰＩコントローラ６０に出力する。ＡＴＡＰＩコントローラ６０には、ＳＤＲＡＭ６２が接続されている。ＡＴＡＰＩコントローラ６０は、ＭＰＥＧストリームデータを、コピープロテクト処理部６３経由でハードディスクドライブ７１に出力したり、又はＣＰＲＭ６４経由で光ディスクドライブ７２に出力したりする。
【００１６】
ハードディスクドライブ７１は、ハードディスクＨＤに対してＭＰＥＧストリームデータを記録したり、ハードディスクＨＤに記録されているＭＰＥＧストリームデータを読み出したりする。光ディスクドライブ７２は、光ディスクＤに対してＭＰＥＧストリームデータを記録したり、光ディスクＤに記録されているＭＰＥＧストリームデータを読み出したりする。
【００１７】
ディスクから読み出されたＭＰＥＧストリームデータは、ＡＴＡＰＩコントローラ６０を介して、ＭＰＥＧデコーダ３１に入力される。ＭＰＥＧデコーダ３１には、ＳＤＲＡＭ３２が接続されている。ＭＰＥＧデコーダ３１は、ＭＰＥＧストリームデータをデコードし、オーディオＤＡコンバータ３３及びグラフィック回路３５に出力する。オーディオＤＡコンバータ３３は、ＭＰＥＧストリームデータに含まれるオーディオ信号を出力する。グラフィック回路３５には、ＳＤＲＡＭ３６が接続されている。グラフィック回路３５から出力されるグラフィック信号は、ビデオデコーダ３４に入力される。ビデオデコーダ３４は、ビデオ信号を出力する。
【００１８】
図２は、ＤＶＤ−Ｖｉｄｅｏ規格（所定の規格）に準拠したデータ構造の一例を示す図である。ＤＶＤ−Ｖｉｄｅｏ規格に準拠したデータは、図２に示すように、ビデオ管理情報（ＶＩＤＥＯ  ＭＡＮＡＧＥＲ）及びビデオタイトル情報（ＶＩＤＥＯ  ＴＩＴＬＥ  ＳＥＴ）を含む。
【００１９】
ＶＩＤＥＯ  ＭＡＮＡＧＥＲ（ＶＭＧ１０２）は、ディスク内に唯一存在する情報であり、ＶＩＤＥＯ  ＴＩＴＬＥ  ＳＥＴ（ＶＴＳ１０３）は最大９９個まで記録が許可される。ＶＭＧ１０２は、ＶＴＳ１０３に含まれる各種データの再生を制御する。即ち、ＶＭＧ１０２は、再生制御情報としての役割を担う。ディスク内の最内周より、ＩＳＯ９６６０／ＵＤＦ  Ｂｒｉｄｇｅ  Ｆｉｌｅ  Ｓｔｒｕｃｔｕｒｅ１０１（ファイルシステム）、ＶＭＧ１０２、ＶＴＳ１０３、Ｖｏｌｕｍｅ  Ｓｔｒｕｃｔｕｒｅ１０４の順に記録される。各Ｅｍｐｔｙ  Ｌｏｇｉｃａｌ  Ｂｌｏｃｋｓ１０５は必須ではなく、サイズも固定ではない。
【００２０】
ＶＭＧ１０２は、ＶＩＤＥＯ  ＭＡＮＡＧＥＲ  ＩＮＦＯＭＡＴＩＯＮ（ＶＭＧＩ）を含む。また、ＶＴＳ１０３は、ＶＩＤＥＯ  ＴＩＴＬＥ  ＳＥＴ  ＩＮＦＯＭＡＴＩＯＮ（ＶＴＳＩ）を含む。図１に示す記録再生装置は、ファイルシステムを経由してＶＭＧＩ、および、ＶＴＳＩを読み出し、これら読み出した情報に基づき、ＤＶＤ−Ｖｉｄｅｏタイトルを再生する。
【００２１】
図３は、ファイルシステムを経由したＶＭＧＩのアクセス方法を示す図である。
【００２２】
図１に示す記録再生装置は、ＤＶＤ−Ｖｉｄｅｏデータが記録されたＤＶＤ−Ｒが挿入されると、ディスク上の固定アドレスに記録されたＡＮＣＨＯＲ  ＶＯＬＵＭＥ  ＤＥＳＣＲＩＰＴＯＲ１０８を参照し、ＰＡＲＴＩＴＩＯＮ  ＤＥＳＣＲＩＰＴＯＲ１０６をディスクより読み出し、ディスク上の再生範囲を知る。さらに、ＬＯＧＩＣＡＬ  ＶＯＬＵＭＥ  ＤＥＳＣＲＩＰＴＯＲ１０７を参照し、ＦＩＬＥ  ＳＥＴ  ＤＥＳＣＲＩＰＴＯＲ１０９を読み出すことにより、Ｒｏｏｔ  ｄｉｒｅｃｔｏｒｙ１１０、１１１、ＶＩＤＥＯ＿ＴＳ  ｄｉｒｅｃｔｏｒｙ１１２、１１３の参照が可能となり、ＶＭＧＩ（ＶＩＤＥＯ＿ＴＳ．ＩＦＯ１２２）へのアクセスが可能となる。
【００２３】
図４は、タイトルメニューの再生シーケンスを示す図である。
【００２４】
ＶＯＢ  ｆｏｒ  ＶＭＧＭ(ＶＩＤＥＯ＿ＴＳ．ＶＯＢ１２９)は、ＶＭＧＩ内のＶＭＧＭ＿ＶＯＢＳ＿ＳＡ１２８にて参照され、再生される。
【００２５】
図５は、タイトル再生シーケンスを示す図である。
【００２６】
タイトル再生要求があると、ＶＭＧＩに記載されているＴＴ＿ＳＲＰＴ１３１から指定されたＶＴＳ１３２が参照される。例では、ＶＴＳ＃２のＶＴＳＩ(ＶＴＳ＿０１＿０．ＩＦＯ)がサーチされる。
【００２７】
メニュー再生の場合には、ＶＯＢ  ｆｏｒ  ＶＴＳＭ１３７がＶＴＳＭ＿ＶＯＢＳ＿ＳＡ１３７を参照する。また、タイトル再生の場合には、ＶＯＢ  ｆｏｒＶＴＳ１３８がＶＴＳＴＴ＿ＶＯＢＳ＿ＳＡ１３６を参照する。
【００２８】
次に、図１に示す記録再生装置により、番組放送をＤＶＤ−Ｖｉｄｅｏ規格に準拠したフォーマットで記録する記録処理について説明する。
【００２９】
まず、図６に示すフローチャートを参照して、通常録画処理（１つの番組の録画処理）について説明する。タイマＭＰＵ４０は、例えば予約録画情報に基づきチューナ２０の動作を制御し、予約録画の対象となるチャンネル及び番組を選択させる。例えば、記録再生装置に対して、所定の時間帯にチャンネル１の番組１の録画を指示する予約録画情報１が設定されていると仮定する。タイマＭＰＵ４０は、予約録画情報１に基づきチューナ２０の動作を制御し、所定の時間帯にチャンネル１の番組１を選択させる（ＳＴ１１）。これに伴い、ラインセレクタ２１からチャンネル１のデータが出力される。オーディオエンコーダ２８及びＭＰＥＧ２エンコーダ２９は、チャンネル１の番組１のデータをＤＶＤ−Ｖｉｄｅｏ規格に準拠したフォーマットに変換する。即ち、チャンネル１の番組１のデータを、一つのビデオタイトル情報（ＶＴＳ＃１）に変換する（ＳＴ１２）。さらに、オーディオエンコーダ２８及びＭＰＥＧ２エンコーダ２９は、このビデオタイトル情報（ＶＴＳ＃１）の再生を制御する再生制御情報を生成する。ハードディスククドライブ７１又は光ディスクドライブ７２は、ハードディスクＨＤ又は光ディスクＤに対して、チャンネル１の番組１のデータを記録する。即ち、ハードディスクドライブ７１又は光ディスクドライブ７２は、ハードディスクＨＤ又は光ディスクＤに対して、チャンネル１の番組１のデータに対応するビデオタイトル情報（ＶＴＳ＃１）、及びこのビデオタイトル情報（ＶＴＳ＃１）の再生を制御する再生制御情報を記録する（ＳＴ１３）。因みに、再生制御情報は、ビデオ管理情報（ＶＭＧ）に含まれた状態で記録される。以上で、通常の録画が完了する。
【００３０】
次に、図７〜図９を参照して、一部の放送時間帯が重複する同一チャンネルの複数番組の録画処理について説明する。図７は、一部の放送時間帯が重複する同一チャンネルの複数番組の録画処理を説明するフローチャートである。図８は、同様の複数番組の録画処理をイメージする図である。図９は、同様の複数番組の録画処理の変形例をイメージする図である。
【００３１】
図８に示す番組１、番組２、番組３は、同一チャンネルの番組である。例えば、番組１、番組２、番組３は、全てチャンネル１の番組であると仮定する。図１に示す記録再生装置に対して、録画予約情報１、２、３が設定されていると仮定する。録画予約情報１は、録画開始時刻ｔ１〜録画終了時刻ｔ３の時間帯にチャンネル１の番組１の録画を指示する情報であるとする。録画予約情報２は、録画開始時刻ｔ２〜録画終了時刻ｔ５の時間帯にチャンネル１の番組２の録画を指示する情報であるとする。録画予約情報３は、録画開始時刻ｔ４〜録画終了時刻ｔ６の時間帯にチャンネル１の番組３の録画を指示する情報であるとする。即ち、図１に示す記録再生装置に対して、少なくとも一部の放送時間帯が重複する同一チャンネルの複数の番組（番組１、番組２、番組３）の録画が予約されていることになる。
【００３２】
タイマＭＰＵ４０は、予約録画情報１、２、３に基づきチューナ２０の動作を制御し、所定の時間帯にチャンネル１の番組１、番組２、番組３を選択させる（ＳＴ２１）。図８に示す複数番組の録画処理では、遅い時間帯の番組を優先して録画するものと仮定する。即ち、番組１より番組２が優先して録画される。番組２より番組３が優先して録画される。即ち、チャンネル１の番組１の録画開始時刻ｔ１からチャンネル１の番組２の録画開始時刻ｔ２までの時間帯に、チャンネル１の番組１が選択される。続いて、チャンネル１の番組２の録画開始時刻ｔ２からチャンネル１の番組３の録画開始時刻ｔ４までの時間帯に、チャンネル１の番組２が選択される。続いて、チャンネル１の番組３の録画開始時刻ｔ４からチャンネル１の番組３の録画終了時刻ｔ６までの時間帯に、チャンネル１の番組３が選択される。
【００３３】
これに伴い、ラインセレクタ２１からチャンネル１の番組１、番組２、番組３のデータが時間経過とともに順次出力される。オーディオエンコーダ２８及びＭＰＥＧ２エンコーダ２９は、チャンネル１の番組１、番組２、番組３のデータをＤＶＤ−Ｖｉｄｅｏ規格に準拠したフォーマットに変換する。即ち、チャンネル１の番組１、番組２、番組３のデータを、一つのビデオタイトル情報（ＶＴＳ＃１）に変換する（ＳＴ２２）。さらに、オーディオエンコーダ２８及びＭＰＥＧ２エンコーダ２９は、チャンネル１の番組１のデータをチャプタ１、チャンネル１の番組２のデータをチャプタ２、チャンネル１の番組３のデータをチャプタ３として各チャプタ単位での再生を可能にする再生制御情報を生成する。ハードディスククドライブ７１又は光ディスクドライブ７２は、ハードディスクＨＤ又は光ディスクＤに対して、チャンネル１の番組１、番組２、番組３のデータを記録する。即ち、ハードディスクライブ７１又は光ディスクドライブ７２は、ハードディスクＨＤ又は光ディスクＤに対して、チャンネル１の番組１、番組２、番組３のデータに対応するビデオタイトル情報（ＶＴＳ＃１）、及びこのビデオタイトル情報（ＶＴＳ＃１）に含まれる各番組に対応するチャプタ単位での再生を可能にする再生制御情報を記録する（ＳＴ２３）。以上により、チャンネル１の番組１、番組２、番組３は、一つのビデオタイトル情報として記録されることになる。さらに、チャンネル１の番組１のデータはチャプタ１として管理され、チャンネル１の番組２のデータはチャプタ２として管理され、チャンネル１の番組３のデータはチャプタ３として管理される。因みに、再生制御情報は、ビデオ管理情報（ＶＭＧ）に含まれた状態で記録される。
【００３４】
また、図９に示すように、重複時間帯の録画を制御するようにしてもよい。図９に示す番組１、番組２は、同一チャンネルの番組である。例えば、番組１、番組２は、全てチャンネル１の番組であると仮定する。図１に示す記録再生装置に対して、録画予約情報１、２が設定されていると仮定する。録画予約情報１は、録画開始時刻ｔ１１〜録画終了時刻ｔ１５の時間帯にチャンネル１の番組１の録画を指示する情報であるとする。録画予約情報２は、録画開始時刻ｔ１２〜録画終了時刻ｔ１６の時間帯にチャンネル１の番組２の録画を指示する情報であるとする。即ち、図１に示す記録再生装置に対して、少なくとも一部の放送時間帯が重複する同一チャンネルの複数の番組（番組１、番組２）の録画が予約されていることになる。
【００３５】
図９に示す録画処理１は、遅い時間帯の番組を優先して録画するケースを示したものである。即ち、番組１より番組２が優先して録画される。つまり、チャンネル１の番組１の録画開始時刻ｔ１１からチャンネル１の番組２の録画開始時刻ｔ１２までの時間帯に、チャンネル１の番組１が選択される。続いて、チャンネル１の番組２の録画開始時刻ｔ１２からチャンネル１の番組２の録画終了時刻ｔ１６までの時間帯に、チャンネル１の番組２が選択される。
【００３６】
図９に示す録画処理２は、早い時間帯の番組を優先して録画するケースを示したものである。即ち、番組２より番組１が優先して録画される。つまり、チャンネル１の番組１の録画開始時刻ｔ１１からチャンネル１の番組１の録画終了時刻ｔ１５までの時間帯に、チャンネル１の番組１が選択される。続いて、チャンネル１の番組１の録画終了時刻ｔ１５からチャンネル１の番組２の録画終了時刻ｔ１６までの時間帯に、チャンネル１の番組２が選択される。
【００３７】
図９に示す録画処理３は、重複時間帯を任意の割合（ｍ：ｎ）で分割して録画するケースを示したものである。つまり、チャンネル１の番組１の録画開始時刻ｔ１１からチャンネル１の番組１と番組２の重複時間帯の任意のタイミングｔ１３までの時間帯に、チャンネル１の番組１が選択される。続いて、重複時間帯の任意のタイミングｔ１３からチャンネル１の番組２の録画終了時刻ｔ１６までの時間帯に、チャンネル１の番組２が選択される。
【００３８】
図９に示す録画処理４は、重複時間帯における映像又は音声信号の変化点で分割して録画するケースを示したものである。つまり、チャンネル１の番組１の録画開始時刻ｔ１１から重複時間帯における映像又は音声信号の変化点ｔ１４までの時間帯に、チャンネル１の番組１が選択される。続いて、変化点ｔ１４からからチャンネル１の番組２の録画終了時刻ｔ１６までの時間帯に、チャンネル１の番組２が選択される。
【００３９】
図９に示す録画処理１〜４においても、上記説明と同様に、チャンネル１の番組１、番組２データは、一つのビデオタイトル情報（ＶＴＳ＃１）に変換される。さらに、チャンネル１の番組１のデータはチャプタ１、チャンネル１の番組２のデータはチャプタ２として各チャプタ単位での再生が可能となる。
【００４０】
以上説明したように、この発明によれば、重複時間帯における複数の番組を１つのビデオタイトル情報（ＶＴＳ＃１）として記録することができる。特に、同一チャンネルにおける複数の番組が一つのビデオタイトル情報（ＶＴＳ＃１）として記録されるので、再生時に各番組がブツ切れになることなく、スムーズな再生が可能となる。しかも、１つの番組は一つのチャプタとして再生することも可能であるため、番組単位のスキップ再生等も可能である。
【００４１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００４２】
【発明の効果】
この発明によれば、少なくとも一部の放送時間帯が重複する複数の番組の再生時の利便性を考慮して、ＤＶＤ−Ｖｉｄｅｏ規格のフォーマットで記録することが可能な番組記録装置及び番組記録方法を提供できる。
【図面の簡単な説明】
【図１】本発明の実施形態に係る光ディスク記録再生装置の一例を示すブロック図である。
【図２】ＤＶＤ−Ｖｉｄｅｏ規格に準拠したデータ構造の一例を示す図である。
【図３】ファイルシステムを経由したＶＭＧＩのアクセス方法を示す図である。
【図４】タイトルメニューの再生シーケンスを示すフローチャートである。
【図５】タイトルの再生シーケンスを示すフローチャートである。
【図６】通常録画処理（１つの番組の録画処理）を説明するためのフローチャートである。
【図７】一部の放送時間帯が重複する同一チャンネルの複数番組の録画処理を説明するフローチャートである。
【図８】一部の放送時間帯が重複する同一チャンネルの複数番組の録画処理をイメージする図である。
【図９】一部の放送時間帯が重複する同一チャンネルの複数番組の録画処理の変形例をイメージする図である。
【符号の説明】
１０…メインＭＰＵ、１１…フラッシュＲＯＭ、１２…ワークメモリ、２０…チューナ、２１…ラインセレクタ、２２…オーディオＡＤコンバータ、２３…ビデオデコーダ、２４…３ＹＣＤＮＲ、２５…ＥＤＯ、２６…フレーム同期器、２７…ＳＤＲＡＭ、２８…オーディオエンコーダ、２９…ＭＰＥＧ２エンコーダ、３０…ＳＤＲＡＭ、３１…ＭＰＥＧデコーダ、３２…グラフィック回路、３３…オーディオＤＡコンバータ、３４…ビデオエンコーダ、３５、３６…ＳＤＲＡＭ、４０…タイマＭＰＵ、５０…ディスプレイＭＰＵ、５１…ディスプレイ、６０…ＡＴＡＰＩコントローラ、６１…ブリッジ、６２…ＳＤＲＡＭ、６３…コピープロテクト、６４…ＣＰＲＭ、７１、７２…ディスクドライブ
【図１】
2004207873.tif 000003
【図２】
2004207873.tif 000004
【図３】
2004207873.tif 000005
【図４】
2004207873.tif 000006
【図５】
2004207873.tif 000007
【図６】
2004207873.tif 000008
【図７】
2004207873.tif 000009
【図８】
2004207873.tif 000010
【図９】
2004207873.tif 000011